(57)【要約】      （修正有）【課題】抜歯を容易に行うことができると共に、滅菌する器具の数を抑制することのできる抜歯器具を提供する。【解決手段】枢軸を介して互いに連結され、該枢軸回りに回動自在な第１の鉗子体１１と第２の鉗子体１２とを有した抜歯器具１０であって、前記第１の鉗子体の先端には、歯牙と歯槽骨との間に挿入される挿入部２０を有する。前記第２の鉗子体は、前記第１の鉗子体に対して長手方向に移動可能に取り付けられる。前記挿入部は、前記第１の鉗子体に対して着脱自在に取り付けられる。【選択図】図１
2018061660.tif 000002
【特許請求の範囲】
【請求項１】
枢軸を介して互いに連結され、該枢軸回りに回動自在な第１の鉗子体と第２の鉗子体とを有した抜歯器具であって、
前記第１の鉗子体の先端には、歯牙と歯槽骨との間に挿入される挿入部を有することを特徴とする抜歯器具。
【請求項２】
請求項１に記載の抜歯器具において、
前記第２の鉗子体は、先端に把持部を備えることを特徴とする抜歯器具。
【請求項３】
請求項１又は２に記載の抜歯器具において、
前記第２の鉗子体は、前記第１の鉗子体に対して長手方向に移動可能に取り付けられることを特徴とする抜歯器具。
【請求項４】
請求項３に記載の抜歯器具において、
前記第１の鉗子体又は前記第２の鉗子体の少なくともいずれか一方は、前記枢軸が挿入可能な軸支部を備え、前記軸支部は、前記長手方向に沿った移動方向に延びる溝であることを特徴とする抜歯器具。
【請求項５】
請求項１から４のいずれか１項に記載の抜歯器具において、
前記挿入部は、前記第１の鉗子体に対して着脱自在に取り付けられることを特徴とする抜歯器具。
【発明の詳細な説明】
【技術分野】
【０００１】
本発明は、医療用に用いられる抜歯器具に関する。
【背景技術】
【０００２】
従来から歯科治療において、抜歯を行うための抜歯器具として、ヘーベル（エレベータ）と呼ばれる器具が知られており、歯科治療において広く用いられている。このようなヘーベルは種々の形態が知られており、例えば特許文献１に記載されたヘーベルが知られている。
【０００３】
特許文献１に記載のヘーベルは、把持部と、該把持部から延出する軸部とを有し、軸部は歯牙と歯槽骨との間に挿入される挿入部を有し、挿入部を歯牙と歯槽骨との間に挿入した状態にて、軸部の歯槽骨と対向する部位には、凹部および凸部の少なくとも一方を有する摩擦抵抗増大部が設けられている。
【０００４】
このように、特許文献１に記載されたヘーベルは、摩擦抵抗増大部が形成されているので、当該摩擦抵抗増大部がテコの原理を用いて歯牙の脱臼を行う際に支点として作用することで、軸部の歯槽骨からのずれを防止又は抑制することで操作性を向上させている。
【先行技術文献】
【特許文献】
【０００５】
【特許文献１】特開２０１３−１０６７０９号公報
【発明の開示】
【発明が解決しようとする課題】
【０００６】
このようなヘーベルを用いた抜歯の手順は、ヘーベルの先端を歯根膜腔（歯根膜）に挿入した状態でテコの原理を利用して歯牙を歯槽骨から脱臼させた状態で該歯牙を鉗子で把持して抜歯を行っている。しかし、抜歯時に歯牙が脱臼した状態で鉗子を用いるという手順で抜歯を行っているので、ヘーベルの位置を脱臼状態のまま保持しないと、鉗子によって抜歯を行うことができず、手術手順が煩雑となり、手術時間の短縮を図ることが難しいという問題があった。
【０００７】
また、手術に用いる器具は器具の細菌汚染を防止するととともに、医療従事者の感染及び他の患者への二次感染を防ぐ観点から手術前に滅菌する必要があるが、従来の手術方法によるとヘーベルと鉗子の両器具を滅菌する必要があることから、滅菌作業に時間や費用が掛かるという問題もあった。
【０００８】
そこで、本発明は上記問題を課題の一例として為されたもので、抜歯を容易に行うことができると共に、滅菌する器具の数を抑制することのできる抜歯器具を提供することを目的とする。
【課題を解決するための手段】
【０００９】
上記課題を解決するために、本発明に係る抜歯器具は、枢軸を介して互いに連結され、該枢軸回りに回動自在な第１の鉗子体と第２の鉗子体とを有した抜歯器具であって、前記第１の鉗子体の先端には、歯牙と歯槽骨との間に挿入される挿入部を有することを特徴とする。
【００１０】
また、本発明に係る抜歯器具において、前記第２の鉗子体は、先端に把持部を備えると好適である。
【００１１】
また、本発明に係る抜歯器具において、前記第２の鉗子体は、前記第１の鉗子体に対して長手方向に移動可能に取り付けられると好適である。
【００１２】
また、本発明に係る抜歯器具において、前記第１の鉗子体又は前記第２の鉗子体の少なくともいずれか一方は、前記枢軸が挿入可能な軸支部を備え、前記軸支部は、前記長手方向に沿った移動方向に延びる溝であると好適である。
【００１３】
また、本発明に係る抜歯器具において、前記挿入部は、前記第１の鉗子体に対して着脱自在に取り付けられると好適である。
【発明の効果】
【００１４】
本発明によれば、枢軸を介して互いに連結され、該枢軸回りに回動自在な第１の鉗子体と第２の鉗子体とを有し、第１の鉗子体の先端には、歯牙と歯槽骨との間に挿入される挿入部を有するので、ヘーベルと鉗子の機能を併せ持つことができ、手術手順の簡略化や手術時間の短縮を図ることができ、滅菌する器具の数を抑制することができる。
【図面の簡単な説明】
【００１５】
【図１】本発明の第１の実施形態に係る抜歯器具の側面図。
【図２】本発明の第１の実施形態に係る抜歯器具の挿入部の拡大図。
【図３】本発明の第２の実施形態に係る抜歯器具の側面図。
【図４】本発明の第２の実施形態に係る抜歯器具の第２の鉗子体を移動させた状態を示す側面図。
【図５】本発明の第２の実施形態に係る抜歯器具の分解図。
【図６】本発明の第２の実施形態に係る抜歯器具の挿入部の拡大図。
【発明を実施するための最良の形態】
【００１６】
［第１の実施形態］
以下、本発明を実施するための好適な実施形態について、図面を用いて説明する。なお、以下の実施形態は、各請求項に係る発明を限定するものではなく、また、実施形態の中で説明されている特徴の組み合わせの全てが発明の解決手段に必須であるとは限らない。
【００１７】
図１は、本発明の第１の実施形態に係る抜歯器具の側面図であり、図２は、本発明の第１の実施形態に係る抜歯器具の挿入部の拡大図である。なお、以下の実施形態において、図１における第１の鉗子体１１の右側を基端と、左側を先端として説明を行う。
【００１８】
図１に示すように、本実施形態に係る抜歯器具１０は、枢軸１３を介して互いに連結された第１の鉗子体１１と第２の鉗子体１２とを備えている。第１の鉗子体１１と第２の鉗子体１２は枢軸１３の軸周りに回動自在に組み付けられており、第１の鉗子体１１と第２の鉗子体１２の基端部にそれぞれ形成されたハンドル部１４，１４を開閉操作することで、第１の鉗子体１１及び第２の鉗子体１２の先端を開閉することができるように構成されている。なお、第１の鉗子体１１及び第２の鉗子体１２はどのような材料を用いて構成しても構わないが、例えばステンレス鋼等の合金を含む各種金属を好適に用いることができる。
【００１９】
第１の鉗子体１１の先端には、挿入部２０が形成されている。図２に示すように、挿入部２０は、抜歯の際に歯牙と歯槽骨の間に形成される歯根膜腔に挿入しやすいように、鉗子体本体２２から薄肉な扁平形状に形成されており、挿入部２０が歯根膜腔に挿入された状態で歯牙と対向する面は、歯牙の丸みに対応する湾曲凹面に形成されており、この形状によって挿入部２０を歯牙に固定しやすくなっている。また、挿入部２０が歯根膜腔に挿入された状態で歯槽骨と対向する面は、上述した歯牙と対向する面とは反対に湾曲凸面に形成されている。
【００２０】
また、図２に示すように、挿入部２０の先端は、先端に向かって幅が漸減する鋭利な形状となっており、挿入部２０を歯根膜腔に挿入できるが、挿入部２０の挿入によって周囲歯肉に裂開や切傷を与えない形状とされている。このように刃部２１を有することで、より簡単かつ円滑に挿入部２０を歯根膜腔に挿入することができる。なお、図１に示すように挿入部２０は、歯根膜腔に挿入した後にテコの原理によって歯牙を脱臼させやすいように、歯槽骨と対向する面側（図１における下側）に屈曲している。また、挿入部２０は、屈曲せずにまっすぐに形成しても構わない。
【００２１】
さらに、第２の鉗子体１２の先端には、把持部３０が形成されている。把持部３０は挿入部２０によって脱臼した状態の歯牙を把持することができ、歯牙の把持を確実に行うことができるように歯牙と対向する面が、歯牙の丸みに対応する湾曲凹面に形成されている。また、ハンドル部１４，１４を閉じて把持部３０によって歯牙の把持を行う際、該把持力を確実に歯牙に伝達させるために把持部３０は全体的に歯牙と対向する面側に屈曲している。なお、把持部３０及び挿入部２０の歯牙と対向する面のうち少なくとも一方の面は、溝形状や凹凸形状を形成することで歯牙の把持を確実に行うことができる。
【００２２】
このように構成された本実施形態に係る抜歯器具１０は、歯牙の脱臼を行うために、第１の鉗子体１１と第２の鉗子体１２のハンドル部１４，１４を開くことで、把持部３０を退避させて挿入部２０を歯根膜腔に挿入しやすくすると共に、挿入部２０を操作することでテコの原理によって歯牙を脱臼させることができる。また、脱臼させた状態で把持部３０と挿入部２０とで該歯牙を把持するようにハンドル部１４，１４を閉じることで抜歯を行うことができるので、手術手順の簡略化や手術時間の短縮を図ることができ、滅菌する器具の数を抑制することができる。
【００２３】
以上説明した第１の実施形態に係る抜歯器具１０は、枢軸１３を介して互いに連結された第１の鉗子体１１と第２の鉗子体１２を備え、第１の鉗子体１１の先端に挿入部２０を形成した場合について説明を行ったが、本発明に係る抜歯器具は、第１の実施形態で示したように第１の鉗子体１１と第２の鉗子体１２とを枢軸１３で回動可能に連結した場合に限られない。そこで、次に第２の実施形態に係る抜歯器具１０ａについて説明を行う。
【００２４】
［第２の実施形態］
図３は、本発明の第２の実施形態に係る抜歯器具の側面図であり、図４は、本発明の第２の実施形態に係る抜歯器具の第２の鉗子体を移動させた状態を示す側面図であり、図５は、本発明の第２の実施形態に係る抜歯器具の分解図であり、図６は、本発明の第２の実施形態に係る抜歯器具の挿入部の拡大図である。なお、上述した第１の実施形態と同一または類似の部材については同一の符号を付してその詳細な説明を省略する。
【００２５】
図３及び図４に示すように、本実施形態に係る抜歯器具１０ａは、第２の鉗子体１２ａが第１の鉗子体１１ａに対して回動自在に組み付けられると共に、長手方向に移動可能に組み付けられている。
【００２６】
第１の鉗子体１１ａは、先端に上述した第１の実施形態と同様の挿入部２０ａが形成されると共に、基端側にハンドル部１４が形成されており、端部に略Ｌ字状に屈曲して後述する第２の鉗子体１２ａの第２のストッパ１９と対向する対向面が形成された第１のストッパ１８が形成されている。また、第１の鉗子体１１ａは、第２の鉗子体１２ａを回動可能かつ長手方向に移動可能に組み付けられる軸支部１６を備えている。
【００２７】
また、図６に示すように、挿入部２０ａは、第１の鉗子体１１ａに形成された嵌合孔２４に嵌合可能な嵌合部２３を備えた別体構造となっている。なお、挿入部２０ａの固定方法は、嵌合孔２４から嵌合部２３が脱落しなければ、どのような固定方法を採用してもよく、圧入やピンで固定等、種々の固定方法を採用することが可能である。
【００２８】
第２の鉗子体１２ａは、先端に上述した第１の実施形態と同様に把持部３０が形成されると共に、基端側にハンドル部１４が形成されている。また、ハンドル部１４の端部には、上述した第１のストッパ１８の対向面と対向する第２のストッパ１９が形成されている。
【００２９】
図５に示すように、第２の鉗子体１２ａは、第１の鉗子体１１ａの軸支部１６に回動自在かつ長手方向に移動可能に組み付けられる。軸支部１６は、第１の鉗子体１１ａの幅方向に延びる第１の溝１６ａと、第１の溝１６ａの一端から長手方向に対して所定の角度で傾斜して延びる第２の溝１６ｂとを備えている。また、第２の鉗子体１２ａには軸孔１３ａが形成されており、図示しない枢軸である軸支ピンが該軸孔１３ａに挿入されると共に、軸支部１６と係合している。なお、軸支部１６は、プレート部材１５と第１の鉗子体１１ａとによって第２の鉗子体１２ａを挟み込むように組み付けられており、軸支部１６には、第２の鉗子体１２ａを先端側に移動させた際に第２の鉗子体１２ａが過大に開かないように斜面１７が形成されている。
【００３０】
このように構成されることで、図３に示すように第２の鉗子体１２ａを第１の鉗子体１１ａの長手方向に沿って基端側に移動させると、第１の鉗子体１１ａの先端の挿入部２０ａが第２の鉗子体１２ａの先端の把持部３０よりも突出することで、歯牙の脱臼が行いやすくなる。また、この状態では、図６に示すように幅方向に延びる第１の溝１６ａに軸支ピンが係合するので、長手方向及び回動方向に不用意に移動することを防止でき、ハンドル部１４，１４を把持することで従来のヘーベルと同様の使用感を得ることができる。さらに、ハンドル部１４の第１のストッパ１８が形成されることで、挿入部２０を歯根膜腔に挿入する際に、掌などで第１のストッパ１８を押しやすく形成されている。また、把持部３０を閉じた状態では、第２のストッパ１９がハンドル部１４に当接するので、第１の鉗子体１１ａと第２の鉗子体１２ａの間に所定の隙間を形成することができ、該隙間に指を通して第１の鉗子体１１ａ及び第２の鉗子体１２ａの操作を容易に行うことができるように構成されている。
【００３１】
また、歯牙を脱臼した状態で、図４に示すように、軸支ピンを第２の溝１６ｂに沿って移動するように操作して第２の鉗子体１２ａを先端側に移動させれば、把持部３０によって歯牙の把持を行うことができ、従来の鉗子と同様に歯牙の抜歯を行うことができる。この状態では、第１のストッパ１８と第２のストッパ１９とは互いに離間しているので、第２の鉗子体１２ａは軸支ピン回りに回動可能となる。
【００３２】
以上、本発明の好適な実施形態について説明したが、本発明の技術的範囲は上記実施形態の記載に限定されない。上記実施形態には、多様な変更又は改良を加えることが可能である。
【００３３】
例えば、上記第１の実施形態において、挿入部２０は第１の鉗子体１１と一体に形成した場合について説明を行ったが、挿入部２０は第１の鉗子体１１に着脱自在な別体構造としても構わない。また、上記第２の実施形態においては、軸支ピンは、第２の鉗子体１２ａに形成された軸孔１３ａに挿入された場合について説明を行ったが、第２の鉗子体１２ａに一体に形成しても構わない。また、プレート部材１５に軸支部１６と対応する溝を形成することで、枢軸の両端を係止させて、第２の鉗子体１２ａの移動を円滑にすることも可能である。
【００３４】
その様な変更又は改良を加えた形態も本発明の技術的範囲に含まれ得ることが、特許請求の範囲の記載から明らかである。
【符号の説明】
【００３５】
１０，１０ａ  抜歯器具，    １１，１１ａ  第１の鉗子体，    １２，１２ａ  第２の鉗子体，    １３  枢軸，    １４  ハンドル部，    １５  プレート部材，    １６  軸支部，    １６ａ  第１の溝，    １６ｂ  第２の溝，    １７  斜面，    １８  第１のストッパ，    １９  第２のストッパ，    ２０  挿入部，    ２１  刃部，    ２２  鉗子体本体，    ２３  嵌合部，    ２４  嵌合孔，    ３０  把持部。
【図１】
2018061660.tif 000003
【図２】
2018061660.tif 000004
【図３】
2018061660.tif 000005
【図４】
2018061660.tif 000006
【図５】
2018061660.tif 000007
【図６】
2018061660.tif 000008